(57)【要約】【課題】異常発生時の固体発光素子の温度上昇を低減できる。【解決手段】点灯回路１１は光源２０に電流を供給する。保護回路１２は光源２０と直列に接続されている。保護回路１２は、閾値以上の電流値の電流が流れたときに、電流を遮断する。バイパス回路１３は、保護回路１２に流れる電流の電流値が閾値以上であるときに、点灯回路１１から光源２０を迂回して保護回路１２に電流を流す。【選択図】図１
2017228465.tif 000002
【特許請求の範囲】
【請求項１】
固体発光素子である光源に電流を供給する点灯回路と、
前記光源と直列に接続されており、閾値以上の電流値の電流が流れたときに前記電流を遮断又は減少させる保護回路と、
前記保護回路に流れる電流の電流値が前記閾値以上であるときに、前記点灯回路から前記光源を迂回して前記保護回路に電流を流すバイパス回路とを備えた、
ことを特徴とする点灯装置。
【請求項２】
前記バイパス回路が、前記点灯回路と前記保護回路との間に電気的に接続されたスイッチ素子と、前記スイッチ素子と直列に接続されたインピーダンス要素と、を備え、
前記バイパス回路が、前記保護回路に流れる電流の電流値が前記閾値以上であるときに、前記スイッチ素子をオンにする、
ことを特徴とする請求項１に記載の点灯装置。
【請求項３】
前記インピーダンス要素のインピーダンスが、前記光源のインピーダンスよりも小さい、
ことを特徴とする請求項２に記載の点灯装置。
【請求項４】
請求項１乃至３のいずれか１項に記載の点灯装置と、前記点灯回路から電流が供給される光源と、前記点灯装置及び前記光源を保持する器具本体と、を備えた、
ことを特徴とする照明装置。
【発明の詳細な説明】
【技術分野】
【０００１】
本発明は、点灯装置、及びそれを備える照明装置に関し、とくに、固体発光素子を点灯させる点灯装置、及びそれを備える照明装置に関する。
【背景技術】
【０００２】
従来、固体発光素子からなる発光部と、発光部に駆動電圧を供給して発光部を点灯させる点灯装置とからなる照明装置が提案されている（例えば、特許文献１参照）。
【０００３】
特許文献１の照明装置は、発光部と、ヒューズと、電流制限手段と、電流検出手段と、過電流制限手段とを備えている。発光部は、直列に接続された複数の発光ダイオードで構成されており、発光部と直列にヒューズが接続されている。電流制限手段は、正常時において発光部に流れる電流を制限する。電流検出手段が、電流制限手段の故障等によって発光部に流れた異常な電流を検出すると、過電流制限手段が、発光部に流れる負荷電流を制限する。過電流制限手段は、発光部と並列に接続されたトランジスタ及び抵抗の直列回路を有している。電流検出手段が異常な電流を検出すると、過電流制限手段のトランジスタがオンになり、抵抗に電流が流れることで、発光部に流れる電流が減少する。ここで、異常発生時にヒューズに流れる電流の電流値が、ヒューズが溶断する程度の電流値となるように、過電流制限手段の抵抗の抵抗値が調整されている。
【先行技術文献】
【特許文献】
【０００４】
【特許文献１】特開２００８−８４６１４号公報
【発明の概要】
【発明が解決しようとする課題】
【０００５】
特許文献１では、過電流制限手段のトランジスタがオンになって過電流制限手段の抵抗に電流が流れる場合でも、過電流制限手段の抵抗を通る電流経路のインピーダンスと、発光部を通る電流経路のインピーダンスとの比率に応じた電流が発光部に流れることになる。そのため、異常発生時にも発光部を構成する発光ダイオード（固体発光素子）に電流が流れ続け、発光ダイオードの温度が上昇する可能性があり、発光ダイオードの発熱で発光ダイオード自体が劣化したり、周囲の部品に熱による影響が発生する可能性がある。
【０００６】
本発明の目的は、異常発生時の固体発光素子の温度上昇を低減できる点灯装置、及びそれを備える照明装置を提供することにある。
【課題を解決するための手段】
【０００７】
本発明の一態様の点灯装置は、点灯回路と、保護回路と、バイパス回路とを備えている。前記点灯回路は、固体発光素子である光源に電流を供給する。前記保護回路は、前記光源と直列に接続されており、閾値以上の電流値の電流が流れたときに前記電流を遮断又は減少させる。前記バイパス回路は、前記保護回路に流れる電流の電流値が前記閾値以上であるときに、前記点灯回路から前記光源を迂回して前記保護回路に電流を流す。
【０００８】
本発明の一態様の照明装置は、上記の点灯装置と、前記点灯回路から電流が供給される光源と、前記点灯装置及び前記光源を保持する器具本体と、を備えたことを特徴とする。
【発明の効果】
【０００９】
本発明によれば、異常発生時の固体発光素子の温度上昇を低減できる。
【図面の簡単な説明】
【００１０】
【図１】図１は、本発明の一実施形態に係る点灯装置の回路図である。
【図２】図２は、同上の点灯装置の他の回路例の回路図である。
【図３】図３は、本発明の一実施形態に係る照明装置の斜視図である。
【発明を実施するための形態】
【００１１】
以下に説明する実施形態は、本発明に係る点灯装置、及びそれを備える照明装置の一例にすぎない。本発明は、以下の実施形態に限定されず、以下の実施形態は、本発明の目的を達成できれば、設計等に応じて種々の変更が可能である。
【００１２】
（１）概要
本実施形態の点灯装置１０は、図１に示すように、点灯回路１１と、保護回路１２と、バイパス回路１３とを備えている。
【００１３】
点灯回路１１は光源２０に電流を供給する。光源２０は、直列に接続された複数の発光ダイオードＬＤ１（固体発光素子）で構成されている。
【００１４】
保護回路１２は光源２０と直列に接続されている。保護回路１２は、閾値以上の電流値の電流が流れたときに電流を遮断する。
【００１５】
バイパス回路１３は、保護回路１２に流れる電流の電流値が閾値以上であるときに、点灯回路１１から光源２０を迂回して保護回路１２に電流を流す。
【００１６】
また、本実施形態の照明装置１は、点灯装置１０と、点灯装置１０から電流が供給される光源２０と、点灯装置１０及び光源２０を保持する器具本体５０（図３参照）とを備えている。
【００１７】
（２）詳細
以下、実施形態１に係る点灯装置１０及び照明装置１について図面を参照して説明する。
【００１８】
（２．１）点灯装置について
（２．１．２）構成
本実施形態の点灯装置１０は、図１に示すように点灯回路１１と保護回路１２とバイパス回路１３とを備えており、各回路の構成を以下に説明する。
【００１９】
点灯回路１１は、例えば降圧型のチョッパ回路である。点灯回路１１は、直流電源３０から入力される直流電圧の電圧値を変換して光源２０に出力する。直流電源３０は、例えば、商用電源などの交流電源から入力される交流電圧を直流に変換するコンバータ回路である。なお、直流電源３０は直流電圧を供給するバッテリなどでもよい。
【００２０】
点灯回路１１は、コイルＬ１と、スイッチング素子Ｑ１と、ダイオードＤ１と、平滑コンデンサＣ１と、制御回路１１１とを備えている。
【００２１】
ダイオードＤ１のカソードは、直流電源３０の正極側の端子に電気的に接続されている。ダイオードＤ１のアノードは、Ｎチャンネル型のＭＯＳＦＥＴ（Metal Oxide Semiconductor Field Effect Transistor）からなるスイッチング素子Ｑ１のドレイン電極に電気的に接続されている。スイッチング素子Ｑ１のソース電極は、電流検出用の抵抗Ｒ１を介して、直流電源３０の負極側の端子に電気的に接続されている。ダイオードＤ１のカソードには、平滑コンデンサＣ１の一端が電気的に接続されている。平滑コンデンサＣ１の他端は、コイルＬ１を介して、ダイオードＤ１のアノードに電気的に接続されている。平滑コンデンサＣ１の両端間には光源２０が電気的に接続されている。
【００２２】
スイッチング素子Ｑ１のゲート電極には制御回路１１１が電気的に接続されている。制御回路１１１がスイッチング素子Ｑ１を周期的にオン／オフさせることで、点灯回路１１がチョッパ動作を行い、点灯回路１１によって直流電源３０から入力される直流電圧の電圧値が変換される。制御回路１１１は、スイッチング素子Ｑ１のスイッチングの１周期においてオン期間の割合（デューティ）を制御することによって、点灯回路１１の出力電圧、すなわち平滑コンデンサＣ１の両端電圧の電圧値を制御する。
【００２３】
保護回路１２は、閾値以上の電流値の電流が流れたときに溶断して電流を遮断する電流ヒューズＦ１からなる。電流ヒューズＦ１のヒューズ定格電流である閾値は、光源２０の定格電流の２倍程度の電流値である。電流ヒューズＦ１の一端は、平滑コンデンサＣ１とコイルＬ１との接続点に電気的に接続されている。電流ヒューズＦ１の他端は、光源２０のカソード側の端子に電気的に接続されている。すなわち、電流ヒューズＦ１は、点灯回路１１と、光源２０との間に電気的に接続されている。なお、光源２０のカソード側の端子とは、直列に接続された複数の発光ダイオードＬＤ１のうち、最も低電位側に接続されている発光ダイオードＬＤ１のカソード側の端子である。本実施形態では、複数の発光ダイオードＬＤ１が直列に接続されているが、複数の発光ダイオードＬＤ１の直列回路をそれぞれ備える複数の光源モジュールが並列に接続されていてもよい。
【００２４】
バイパス回路１３は、電流ヒューズＦ１に流れる電流の電流値が上記の閾値以上であるときに、点灯回路１１から光源２０を迂回して電流ヒューズＦ１に電流を流すように構成されている。
【００２５】
バイパス回路１３は、過電流検出回路１３１と、抵抗Ｒ２，Ｒ３と、スイッチ素子Ｑ２とを備えている。
【００２６】
スイッチ素子Ｑ２は例えばＮチャンネル型のＭＯＳＦＥＴからなる。スイッチ素子Ｑ２のドレイン電極はダイオードＤ１のカソードに電気的に接続されている。スイッチ素子Ｑ２のソース電極は光源２０と電流ヒューズＦ１との接続点に電気的に接続されている。
【００２７】
過電流検出回路１３１の出力端子は、抵抗Ｒ２を介してスイッチ素子Ｑ２のゲート電極に電気的に接続されている。また、スイッチ素子Ｑ２のゲート電極は抵抗Ｒ３を介して回路のグランドに接続されている。
【００２８】
過電流検出回路１３１は、抵抗Ｒ１の両端間に発生する電圧に基づいて、抵抗Ｒ１に流れる電流、すなわち電流ヒューズＦ１に流れる電流Ｉ３を検出する。
【００２９】
過電流検出回路１３１は、電流Ｉ３の電流値が上記の閾値未満であるときは、スイッチ素子Ｑ２をオフにする。スイッチ素子Ｑ２がオフであるときは、点灯回路１１から光源２０を介して電流ヒューズＦ１に電流Ｉ３が流れており、電流ヒューズＦ１に流れる電流Ｉ３は光源２０に流れる電流Ｉ１に等しくなる。電流ヒューズＦ１に流れる電流Ｉ３が閾値未満であるときは、電流ヒューズＦ１は溶断せず、電流ヒューズＦ１によって光源２０に流れる電流は遮断されない。したがって、点灯回路１１から光源２０に電流が供給されることによって、光源２０が点灯する。
【００３０】
過電流検出回路１３１は、電流Ｉ３の電流値が上記の閾値以上であるときは、抵抗Ｒ２を介してスイッチ素子Ｑ２のゲート・ソース間にしきい値電圧を超える電圧を印加して、スイッチ素子Ｑ２をオンにする。スイッチ素子Ｑ２がオンであるときは、点灯回路１１からスイッチ素子Ｑ２を介して電流ヒューズＦ１に電流Ｉ３が流れる。したがって、電流ヒューズＦ１に流れる電流Ｉ３は、光源２０を迂回する電流経路、すなわちスイッチ素子Ｑ２を通る電流経路に流れる電流Ｉ２に等しくなる。
【００３１】
ここで、スイッチ素子Ｑ２のオン抵抗は光源２０のインピーダンスよりも十分に小さいので、スイッチ素子Ｑ２を介して電流ヒューズＦ１に流れる電流は、光源２０を介して電流ヒューズＦ１に流れる電流よりも増加する。したがって、スイッチ素子Ｑ２がオンのときに、スイッチ素子Ｑ２を介して電流ヒューズＦ１に流れる電流Ｉ３が、閾値であるヒューズ定格電流よりも大きくなるので、電流ヒューズＦ１が確実に溶断し、また電流ヒューズＦ１が溶断するまでの時間が短縮される。
【００３２】
なお、電圧等の２値間の比較において、「以上」としているところは、２値が等しい場合、及び２値の一方が他方を超えている場合との両方を含む。ただし、これに限らず、ここでいう「以上」は、２値の一方が他方を超えている場合のみを含む「より大きい」と同義であってもよい。つまり、２値が等しい場合を含むか否かは、基準値等の設定次第で任意に変更できるので、「以上」か「より大きい」かに技術上の差異はない。同様に、「未満」においても「以下」と同義であってもよい。
【００３３】
（２．１．２）動作
本実施形態の点灯装置１０の動作について説明する。
【００３４】
制御回路１１１がスイッチング素子Ｑ１のＰＷＭ制御を行うことによって、降圧チョッパ回路である点灯回路１１がチョッパ動作を行い、平滑コンデンサＣ１の両端間に所望の電圧値の直流電圧が発生する。点灯回路１１の出力によって、点灯回路１１から光源２０と電流ヒューズＦ１とに電流が流れ、光源２０を構成する複数の発光ダイオードＬＤ１が点灯する。
【００３５】
制御回路１１１は、例えばスイッチング素子Ｑ１のドレイン電流がフィードバックされており、フィードバックされた電流値をもとにスイッチング素子Ｑ１のデューティを制御する。なお、制御回路１１１は、点灯回路１１の出力電圧がフィードバックされ、フィードバックされた電圧値をもとにスイッチング素子Ｑ１のデューティを制御してもよい。制御回路１１１がスイッチング素子Ｑ１のデューティを制御することによって、点灯回路１１の出力電圧、すなわち平滑コンデンサＣ１の両端電圧の電圧値を調整できる。制御回路１１１は、例えば、平滑コンデンサＣ１の両端電圧の電圧値が一定値となるように、スイッチング素子Ｑ１のデューティを制御する。これにより、光源２０には一定の電流が流れ、光源２０を構成する複数の発光ダイオードＬＤ１が一定の明るさで点灯する。なお、制御回路１１１は、平滑コンデンサＣ１の両端電圧の電圧値が、例えば外部から入力される調光信号に応じた電圧値となるように、スイッチング素子Ｑ１のデューティを制御してもよい。
【００３６】
点灯装置１０及び光源２０が正常に動作しており、電流ヒューズＦ１に流れる電流Ｉ３が閾値未満であるときは、過電流検出回路１３１がスイッチ素子Ｑ２をオフにする。このとき、点灯回路１１から光源２０と電流ヒューズＦ１とに電流が流れ、光源２０を構成する複数の発光ダイオードＬＤ１が点灯する。
【００３７】
一方、点灯装置１０のスイッチング素子Ｑ１で短絡故障が発生するなどして光源２０に過電流が流れ、電流ヒューズＦ１に流れる電流Ｉ３が閾値以上になると、過電流検出回路１３１が、スイッチ素子Ｑ２をオンにする。スイッチ素子Ｑ２がオンになると、点灯回路１１からスイッチ素子Ｑ２と電流ヒューズＦ１とに電流が流れる。すなわち、点灯回路１１から光源２０を迂回して電流ヒューズＦ１に電流が流れるので、光源２０を介して電流ヒューズＦ１に電流が流れる場合に比べて、電流ヒューズＦ１に流れる電流が上記の閾値よりも増加する。これにより、電流ヒューズＦ１が確実に溶断し、電流ヒューズＦ１が溶断するまでにかかる時間が短くなる。
【００３８】
なお、複数種類の照明装置１があり、照明装置１の種類毎に光源２０を構成する発光ダイオードＬＤ１の個数が異なる場合、光源２０を構成する複数の発光ダイオードＬＤ１の順方向電圧の合計電圧が照明装置１の種類毎に異なることになる。点灯回路１１から光源２０を介して電流ヒューズＦ１に電流が流れる場合に、照明装置１の種類毎に光源２０を構成する発光ダイオードＬＤ１の順方向電圧の合計電圧が異なる場合、電流ヒューズＦ１に流れる電流が照明装置１の種類毎に異なる可能性がある。そのため、光源２０を介して電流ヒューズＦ１に過電流が流れる場合は、電流ヒューズＦ１が確実に溶断するように、照明装置１の種類毎に電流ヒューズＦ１を選定する必要がある。
【００３９】
一方、本実施形態では、電流ヒューズＦ１に流れる電流が閾値以上であるとき、過電流検出回路１３１がスイッチ素子Ｑ２をオンにし、点灯回路１１から光源２０を迂回して電流ヒューズＦ１に電流を流している。このとき、点灯回路１１からスイッチ素子Ｑ２を介して電流ヒューズＦ１に電流が流れるから、光源２０を介して電流ヒューズＦ１に電流が流れる場合に比べて、非常に大きな電流が電流ヒューズＦ１に流れることになる。したがって、本実施形態の点灯装置１０は、光源２０に過電流が流れた場合に、電流ヒューズＦ１を短時間で確実に溶断させることができる。電流ヒューズＦ１が溶断することによって、点灯回路１１に電流が流れなくなり、点灯回路１１を構成する回路部品を保護できる。また、電流ヒューズＦ１に流れる電流が閾値以上になると、バイパス回路１３が光源２０を迂回して電流ヒューズＦ１に電流を流しているので、複数の発光ダイオードＬＤ１に過電流が流れ続けるのを抑制することができる。したがって、複数の発光ダイオードＬＤ１の発熱が抑制されるので、発光ダイオードＬＤ１自体の劣化が抑制され、また発光ダイオードＬＤ１の発熱による周囲の部品の劣化も抑制される。
【００４０】
なお、本実施形態の点灯装置１０において、図２に示すように、バイパス回路１３が、スイッチ素子Ｑ２に直列に接続された抵抗Ｒ４（インピーダンス要素）を備えてもよい。ここで、抵抗Ｒ４のインピーダンスは、光源２０のインピーダンスよりも十分小さい値に設定されている。
【００４１】
この点灯装置１０では、過電流発生時に過電流検出回路１３１がスイッチ素子Ｑ２をオンにしたとき、点灯回路１１からスイッチ素子Ｑ２と抵抗Ｒ４とを介して電流ヒューズＦ１に電流が流れる。ここで、抵抗Ｒ４のインピーダンスは光源２０のインピーダンスよりも十分小さい値であるため、光源２０を介して保護回路１２に流れる電流よりも、光源２０を迂回して保護回路１２に流れる電流を増やすことができる。また、光源２０のインピーダンスに比べて、光源２０と抵抗Ｒ４との合成インピーダンスが低下するので、スイッチ素子Ｑ２がオンのときに電流ヒューズＦ１に流れる電流の電流値を閾値（ヒューズ定格電流）よりも増加させることができる。したがって、電流ヒューズＦ１を短時間で確実に溶断させることができ、電流ヒューズＦ１が溶断することによって、点灯回路１１及び光源２０に電流が流れなくなるので、点灯回路１１を構成する回路部品を保護できる。また、抵抗Ｒ４が無い場合に比べて、スイッチ素子Ｑ２に流れる電流が低下するから、スイッチ素子Ｑ２を保護することができる。
【００４２】
なお、図２の回路では、スイッチ素子Ｑ２と直列に接続されたインピーダンス要素が抵抗Ｒ４であったが、インピーダンス要素は抵抗に限定されず、サーミスタなどでもよい。
【００４３】
また、本実施形態の点灯装置１０において、スイッチ素子Ｑ２に直列に接続された抵抗Ｒ４は必須の構成ではなく、適宜省略が可能である。
【００４４】
（２．２）照明装置
次に、本実施形態の照明装置１について図１及び図３を参照して説明する。以下の説明では、図３において「上」、「下」の矢印で示す通りに各方向を規定する。ただし、これらの方向は照明装置１の設置方向を規定する趣旨ではない。図３中の各方向を示す矢印は説明のために表記しているに過ぎず、実体を伴わない。
【００４５】
本実施形態の照明装置１は、図１に示すように、上記した点灯装置１０と、点灯装置１０から電流が供給される光源２０と、器具本体５０（図３参照）とを備えている。
【００４６】
本実施形態の照明装置１は、造営材（例えば天井仕上げ材）に直付けされる形態の照明器具（いわゆるシーリングライト）である。
【００４７】
器具本体５０は、図３に示すように、ベース部材５１と、内カバー５３と、外カバー５４と、外枠５５とを備えている。
【００４８】
ベース部材５１は、鋼板などの金属板によって、おおよそ円盤状に形成されている。ベース部材５１は、円筒状の引掛シーリングアダプタ５６に着脱可能な状態で取り付けられる。引掛シーリングアダプタ５６は住宅の天井仕上げ材に配設されている引掛シーリングローゼットに取り付けられる。したがって、ベース部材５１は引掛シーリングアダプタ５６及び引掛シーリングローゼットを介して天井仕上げ材に取り付けられる。
【００４９】
ベース部材５１には、複数（図示例では４つ）の光源モジュール５２が取り付けられている。４つの光源モジュール５２の各々は、平面視の形状がリング状の板材が周方向において４分割されたような形状の基板５２１を備えている。４つの光源モジュール５２は、ベース部材５１の下面に周方向に並ぶように取り付けられる。各光源モジュール５２の基板５２１の下面には複数の発光ダイオードＬＤ１が実装されている。４つの光源モジュール５２にそれぞれ実装された複数の発光ダイオードＬＤ１は直列又は並列に接続されており、４つの光源モジュール５２にそれぞれ実装された複数の発光ダイオードＬＤ１で光源２０が構成されている。
【００５０】
ベース部材５１の中央には、外周部に比べて下向きに突出する円筒状の突出部５１１が設けられている。突出部５１１の上面には点灯装置１０が取り付けられており、点灯装置１０から各光源モジュール５２に実装された複数の発光ダイオードＬＤ１に電流が供給される。なお、突出部５１１はベース部材５１の外周部に比べて下向きに突出しているので、ベース部材５１が天井仕上げ材に取り付けられた状態でも、点灯装置１０が天井仕上げ材と干渉することはない。
【００５１】
内カバー５３は、アクリル樹脂やポリカーボネート樹脂などの透光性を有する合成樹脂により、円環状に形成されている。内カバー５３は、径方向における断面形状が、下向きに突出する台形状となるように形成されており、内カバー５３は、４つの光源モジュール５２を下側から覆うようにしてベース部材５１に取り付けられている。内カバー５３は４つの光源モジュール５２をベース部材５１との間で挟んでおり、これによって４つの光源モジュール５２がベース部材５１に固定されている。
【００５２】
外カバー５４は、アクリル樹脂等の透光性を有する合成樹脂に、拡散材が混入された成形体で構成されている。外カバー５４は、内カバー５３を下側から覆うようにしてベース部材５１に取り付けられる。
【００５３】
外枠５５は、スチレン樹脂などの合成樹脂により形成されている。外枠５５は、円筒形状の枠本体５５１と、枠本体５５１の下端から径方向に沿って外向きに突出する円環状の鍔部５５２とを有している。外枠５５は、枠本体５５１の内側にベース部材５１を収容した状態で、ベース部材５１に固定されている。また、ベース部材５１の下側に外カバー５４が取り付けられた状態では、外カバー５４も枠本体５５１の内側に配置される。
【００５４】
このように、本実施形態の照明装置１では、器具本体５０に、点灯装置１０と、複数の光源モジュール５２からなる光源２０とが保持されている。ここで、点灯装置１０から各光源モジュール５２に実装された複数の発光ダイオードＬＤ１に電流が供給されると、複数の発光ダイオードＬＤ１が発光し、複数の発光ダイオードＬＤ１から放射された光は内カバー５３と外カバー５４とを透過して外部に照射される。
【００５５】
（３）変形例
以下に、上記実施形態の変形例に係る点灯装置及び照明装置を列記する。なお、以下に説明する変形例の各構成は、上記実施形態で説明した各構成と適宜組み合わせて適用可能である。
【００５６】
本実施形態では保護回路１２が電流ヒューズＦ１で構成されているが、保護回路１２は電流ヒューズＦ１に限定されない。保護回路１２は、閾値以上の電流値の電流が流れたときに流れる電流を減少させる回路要素でもよい。保護回路１２は、例えば、周囲温度がしきい値温度以上になると抵抗値が急増する正特性サーミスタでもよい。
【００５７】
光源２０に閾値以上の電流値の電流が流れると、バイパス回路１３がスイッチ素子Ｑ２をオンにし、点灯回路１１から光源２０を迂回して保護回路１２に電流を流す。この場合、保護回路１２には閾値以上の電流が流れることになり、点灯回路１１の回路部品などでの発熱が増加し、保護回路１２である正特性サーミスタの周囲温度が上昇する。このとき、正特性サーミスタの周囲温度がしきい値温度以上になるように、正特性サーミスタのしきい値温度や配置などが設定されており、正特性サーミスタの周囲温度がしきい値温度以上になることで、正特性サーミスタの抵抗値が急増する。これにより、正特性サーミスタ（保護回路１２）を流れる電流が減少し、点灯回路１１に流れる電流が減少するから、点灯回路１１を構成する回路部品を保護することができる。
【００５８】
また、本実施形態では光源２０が直列に接続された複数の発光ダイオードＬＤ１を有しているが、発光ダイオードＬＤ１の数は１個でもよい。また、光源２０は、複数の発光ダイオードＬＤ１が直列に接続された光源モジュール５２を複数備えているが、複数の光源モジュール５２は直列に接続されても、並列に接続されてもよい。また、光源２０は固体発光素子として発光ダイオードＬＤ１を備えているが、固体発光素子は発光ダイオードに限定されず、有機ＥＬ（Electro Luminescence）素子でもよい。
【００５９】
また、点灯回路１１がＭＯＳＦＥＴからなるスイッチング素子Ｑ１を備えているが、スイッチング素子Ｑ１はＭＯＳＦＥＴに限定されず、バイポーラトランジスタでもよい。
【００６０】
バイパス回路１３はＭＯＳＦＥＴからなるスイッチ素子Ｑ２を備えているが、スイッチ素子Ｑ２はＭＯＳＦＥＴに限定されず、バイポーラトランジスタでもよいし、半導体リレーやメカニカルリレーでもよい。また、バイパス回路１３は、スイッチ素子Ｑ２をオン又はオフすることで、光源２０を介して電流を流すか、光源２０を迂回して電流を流すかを切り替えているが、スイッチ素子Ｑ２の増幅動作によって光源２０を迂回して流れる電流量を調整してもよい。
【００６１】
また、器具本体５０はベース部材５１と内カバー５３と外カバー５４と外枠５５とを備えているが、器具本体５０の形態は設計などに応じて適宜変更が可能である。
【００６２】
（４）まとめ
以上説明したように、第１の態様の点灯装置１０は、点灯回路１１と、保護回路１２と、バイパス回路１３とを備える。点灯回路１１は、固体発光素子（例えば発光ダイオードＬＤ１）である光源２０に電流を供給する。保護回路１２は、光源２０と直列に接続されている。保護回路１２は、閾値以上の電流値の電流が流れたときに電流を遮断又は減少させる。バイパス回路１３は、保護回路１２に流れる電流の電流値が閾値以上であるときに、点灯回路１１から光源２０を迂回して保護回路１２に電流を流す。
【００６３】
バイパス回路１３は、保護回路１２に流れる電流の電流値が閾値以上になると、点灯回路１１から光源２０を迂回して保護回路１２に電流を流しているので、光源２０を介して保護回路１２に電流を流す場合に比べ、保護回路１２に流れる電流を増やすことができる。したがって、保護回路１２に流れる電流が閾値よりも大きくなるから、保護回路１２が、電流を遮断又は減少させる動作を確実に行うことができ、異常発生時の固体発光素子の温度上昇を抑制することができる。
【００６４】
第２の態様の点灯装置１０は、第１の態様において、バイパス回路１３が、点灯回路１１と保護回路１２との間に電気的に接続されたスイッチ素子Ｑ２と、スイッチ素子Ｑ２と直列に接続されたインピーダンス要素（例えば抵抗Ｒ４）と、を備えてもよい。バイパス回路１３が、保護回路１２に流れる電流の電流値が閾値以上であるときに、スイッチ素子Ｑ２をオンにしてもよい。
【００６５】
バイパス回路１３がインピーダンス要素を備えている場合は、バイパス回路１３がインピーダンス要素を備えていない場合に比べ、スイッチ素子Ｑ２がオンのときにスイッチ素子Ｑ２に流れる電流を減少させることができる。したがって、スイッチ素子Ｑ２に加わるストレスを低減できる。
【００６６】
第３の態様の点灯装置１０は、第２の態様において、インピーダンス要素（抵抗Ｒ４）のインピーダンスが、光源２０のインピーダンスよりも小さいことが好ましい。
【００６７】
これにより、スイッチ素子Ｑ２がオンのときに、光源２０を迂回して保護回路１２に流れる電流を増やすことができる。
【００６８】
また、第４の態様の照明装置１は、第１〜第３のいずれか１つの態様の点灯装置１０と、点灯回路１１から電流が供給される光源２０と、点灯装置１０及び光源２０を保持する器具本体５０と、を備えている。
【００６９】
この照明装置１によれば、保護回路１２に流れる電流の電流値が閾値以上であるときに、保護回路１２が電流を遮断又は減少させる動作を確実に行うことができ、異常発生時の固体発光素子の温度上昇を抑制することができる。
【符号の説明】
【００７０】
１  照明装置
１０  点灯装置
１１  点灯回路
１２  保護回路
１３  バイパス回路
２０  光源
３０  直流電源
５０  器具本体
Ｆ１  電流ヒューズ（保護回路）
ＬＤ１  発光ダイオード（固体発光素子）
Ｑ２  スイッチ素子
Ｒ４  抵抗（インピーダンス要素）
【図１】
2017228465.tif 000003
【図２】
2017228465.tif 000004
【図３】
2017228465.tif 000005